(57)【要約】【課題】  この発明の課題は、ホッパユニットが装置本体から取り外されているときには、トレイに用紙突き当て板があり、装置本体にホッパユニットを取付けると、用紙突き当て板が装置本体に固定され、トレイのみが給紙のために昇降するホッパユニットを実現することにある。１．ホッパを取り外した状態では用紙をセットする際に先端が不揃いになる。２．また、突き当て板をトレイに固定したものでは、装置に取付けた時にトレイを昇降する機構が大掛かりになる。【解決手段】  ホッパユニットが装置本体から取り外されているときは、トレイに用紙突き当て板が上昇してきて、ホッパユニットが装置本体から取り外されているときでも原稿用紙をセットすることができるようにしている。  装置に取付けた時、トレイと用紙突き当て板は固定されてはおらず、トレイは用紙突き当て板に対し、昇降することができるようになっている。【選択図】            図１
2006256705.tif 000002
【特許請求の範囲】
【請求項１】
用紙をトレイにセットする際に、用紙先端を揃える等のセット性を改善するための用紙突き当て板を設けたホッパユニットにおいて、
ホッパユニットを装置本体に取付けると用紙突き当て板が装置本体に固定され、その状態で給紙時には、用紙突き当て板を残したまま用紙が積載されたトレイ部分のみが昇降可能な構造をもつこと、
を特徴とするホッパユニット。
【請求項２】
用紙をトレイにセットする際に、用紙先端を揃える等のセット性を改善するための用紙突き当て板を設けたホッパユニットにおいて、
ホッパユニットを装置本体から取り外した際には用紙突き当て板が上方に繰出された位置で固定される構造をもつこと、
を特徴とする請求項１記載のホッパユニット。
【請求項３】
用紙をトレイにセットする際に、用紙先端を揃える等のセット性を改善するための用紙突き当て板を設けたホッパユニットにおいて、
装置に取付けた時、用紙突き当て板を残したまま用紙が積載されたトレイ部分のみを回転させて装置本体外観カバーと一体となるように収納可能な構造をもつこと、
を特徴とする請求項１記載のホッパユニット。
【請求項４】
用紙をトレイにセットする際に、用紙先端を揃える等のセット性を改善するための用紙突き当て板を設けたホッパユニットにおいて、
装置本体外観カバーと一体となる様に収納した状態で、装置を使用時に用紙トレイ部分を上昇させてトレイと装置本体外観カバーとのロックを解除することにより自動的にオープンし使用状態となる構造をもつこと、
を特徴とする請求項３記載のホッパユニット。
【発明の詳細な説明】
【技術分野】
【０００１】
この発明は、用紙のセット性を向上させる用紙突き当て板を備えたホッパユニットに関し、本体装置に装着時には用紙突き当て板が固定され、用紙を積載したトレイ部分のみを上下に昇降させるホッパユニットを実現するものである。
【背景技術】
【０００２】
スキャナ装置には、原稿用紙を装置本体に給紙するための機構としてホッパユニットと呼ばれる機構が備えられている。
【０００３】
ホッパユニットには、原稿用紙を積載するトレイと呼ばれる部分を有し、このトレイに積載された原稿用紙を最下部から給紙する下取り出しのホッパユニットと、積載された原稿用紙を最上部から給紙する上取り出しのホッパユニットがある。
【０００４】
装置本体に用紙を上取り出しで給紙する場合、トレイに積載された用紙の枚数に関係なく一定の付圧が給紙ローラーとの間に働くように、用紙を積載したトレイをモーターで上昇させる必要があるが、従来のホッパユニットでは用紙突き当て板がなく、ホッパユニットを装置本体に装着した後に用紙をセットする必要があった。
【０００５】
このため、原稿を装置が読み取り処理している間、ホッパユニットに用紙突き当て板がないため次の原稿を別のホッパユニット上に用意しておくことができないという問題があった。
【０００６】
このような問題を解決するため、トレイに用紙突き当て板を固定したホッパユニットがある（特許文献１を参照）。
【０００７】
しかし、このようなホッパユニットでは、用紙を上取り出しで給紙する場合、用紙突き当て板の上を用紙が通過できるように、トレイ部分に用紙を押し上げるバネ機構を必要とし、トレイ部分に積載された用紙の枚数によって、給紙ローラーとの間に働く付圧が変化してしまうという問題がある。
【０００８】
また、ホッパユニットを回動させて装置本体に収納する際に突き当て板が妨げとなるという問題がある。
【０００９】
【特許文献１】特開２００１−２５３５７１号公報
【発明の開示】
【発明が解決しようとする課題】
【００１０】
前記のごとく、従来の技術では次のような問題点がある。
ホッパユニットに用紙突き当て板がないため、原稿の読み取り中に別のホッパユニットに次の原稿を用意しておくことができないという問題がある。
【００１１】
このような問題を解決するため、トレイに用紙突き当て板を固定した装置があるが、このような装置では、用紙突き当て板の上を用紙が通過できるようにするため、トレイに下から上に用紙を押し上げるバネ機構が必要となり、トレイに積載された原稿の枚数によって給紙ローラーとの間に働く付圧が変化してしまうという問題がある。
【００１２】
また、ホッパユニットを回動させて装置本体に収納する際に突き当て板が妨げとなるという問題がある。
【００１３】
この発明の課題は、ホッパユニットが装置本体から取り外されているときには、トレイに用紙突き当て板があり、装置本体にホッパユニットを取付けると、用紙突き当て板が装置本体に固定され、トレイのみが給紙のために昇降するホッパユニットを実現することにある。
さらに、装置不使用時にホッパユニットを回動することで、ホッパユニットを装置本体に収納することができるようにすることにある。
【課題を解決するための手段】
【００１４】
前記の問題点を解決するために、この発明では次に示す手段を取った。
ホッパユニットが装置本体から取り外されているときは、トレイに用紙突き当て板がついており、ホッパユニットが装置本体から取り外されているときでも原稿用紙をセットすることができるようにしている。
【００１５】
このとき、トレイと用紙突き当て板は固定されてはおらず、トレイは用紙突き当て板に対し、昇降することができるようになっている。なお、ホッパユニットが装置本体から外された状態では、用紙突き当て板はバネの力によって、トレイに対し上方に繰出された状態となるように構成されている。
【００１６】
また、装置不使用時にトレイを用紙突き当て板に対し回動させ、トレイの側面先端についているピンが装置本体のラッチロックに嵌って固定され、ホッパユニットが収納されるように構成されている。
【００１７】
さらに、装置使用時にトレイを上昇させることにより、トレイの側面先端についているピンが装置本体のラッチロックから抜け出し、トレイが回動して積載されている原稿用紙を装置本体に給紙できる状態となるように構成している。
【発明の効果】
【００１８】
この発明により、以下に示すような効果が期待できる。
装置本体で原稿画像の読み取り中に、別のホッパユニットに次の原稿をセットしておくことができるようになる。
また、用紙突き当て板に干渉することなくトレイを回動することによって、装置本体にホッパユニットを収納することができるようになる。
【発明を実施するための最良の形態】
【００１９】
この発明は、次に示す実施の形態を取った。
【００２０】
図１、図２に示すように、用紙突き当て板ユニットとトレイを上下動ガイドレールにより、トレイが昇降可能に組み合わされて構成している。
【００２１】
これにより、ホッパユニットが装置本体から取り外されているときでも、トレイに用紙突き当て板があるので、用紙のトレイへのセットを行うことができる。
【００２２】
さらに、装置本体にホッパユニットを装着した場合も、用紙突き当て板は固定されるが、トレイは上下動ガイドレールに沿って昇降することができる。
【００２３】
用紙突き当て板ユニットは、装置本体と脱着が可能で、装着時には装置本体に固定される。
【００２４】
これにより、トレイのみをモーターでラックアンドピニオン機構により上昇させ、トレイに積載された原稿用紙を一定の付圧で給紙ローラーに接触させ、装置本体への給紙を行うことができる。
【００２５】
トレイの側面先端にはピンを備えており、ホッパユニットが装置本体に装着状態で、トレイは用紙突き当て板ユニットに対し、回動して、ピンが装置本体のラッチロックに嵌って固定され、ホッパユニットが収納されるようになっている。
【００２６】
これにより、装置不使用時にはホッパユニットを装置本体内に収納しておくことができるようになる。
【００２７】
さらに、この収納状態から装置使用時にトレイを上昇させることで、トレイ側面先端のピンがラッチロックから抜け出し、トレイが回動して原稿用紙を積載できる状態に戻るようになっている。
【００２８】
これにより、装置使用時に使用者がわざわざトレイを引き出さなくても、自動的に給紙可能な状態にすることができる。
【実施例】
【００２９】
この発明による代表的な実施例を図によって説明する。なお、以下において、同じ箇所は同一の符号を付してあり、詳細な説明を省略することがある。
【００３０】
図１は本発明の実施例を示す。
【００３１】
同図において、トレイ１は用紙突き当て板ユニット２と上下動ガイドレール３によって、昇降可能に組み合わされて構成されている。
【００３２】
図２は本ホッパユニットの動作を示している。
【００３３】
図２の（ａ）は、ホッパユニットが装置本体から取り外されている状態で、トレイ１上の用紙は用紙突き当て板ユニット２の用紙突き当て板部分に用紙を突き当てることで、先端を揃えて給紙可能な状態にしている。
【００３４】
図２の（ｂ）は、ホッパユニットを装置に装着した状態で、用紙突き当て板ユニット２についているロックレバー５を装置本体のピンにロックバネ６の力によりロックし、ストッパ兼摺動コロ４についている圧縮バネ７が圧縮されてトレイ１側にストッパ兼摺動コロ４が押し込まれるように構成している。
【００３５】
図２の（ｃ）は、ホッパユニットから用紙を装置本体に給紙している状態で、用紙突き当て板ユニット２が装置本体に固定された状態で、トレイ１のみが上昇して、積載している用紙を給紙ローラーに接触させ、用紙の給紙を行っている。
【００３６】
図３はホッパユニットの収納動作を示している。
【００３７】
図３の（ａ）は、ホッパユニットが装置本体に装着された状態で、トレイ１を用紙突き当て板ユニット２に対し回動することで、装置本体カバーと一体となり収納されるようになっている。
【００３８】
図３の（ｂ）は、トレイ１が収納された状態から、装置使用時にトレイ１を上昇させることで、トレイ１側面先端に備えられたピンが、ラッチロックから抜け出し、トレイ１が回動して用紙を積載できる状態に戻るようになっている。
【図面の簡単な説明】
【００３９】
【図１】本発明の実施例である。
【図２】ホッパユニットの動作説明図である。
【図３】トレイの収納動作説明図である。
【符号の説明】
【００４０】
１：トレイ
２：用紙突き当て板ユニット
３：上下動ガイドレール
４：ストッパ兼摺動ローラ
５：ロックレバー
６：ロックバネ
【図１】
2006256705.tif 000003
【図２】
2006256705.tif 000004
【図３】
2006256705.tif 000005